(57)【要約】      （修正有）【課題】マニキュア液を塗布した後の乾燥中の塗布面を確実に保護でき、その間も読書などの作業に支障がなく、かつ構造が簡素で成型が容易なマニキュア保護用具を提供する。【解決手段】指を両側面より挟むことのできるクリップ部１０と、該クリップ部から指先方向に延伸するほぼ円筒状の保護カバー２０からなるマニキュア保護用具１であって、前記クリップ部は、指の側面に沿う円弧部１２ａ，１２ｂ及びこれより伸びたハンドル部１３ａ，１３ｂからなる一対のクリップ部材、並びに前記ハンドル部を円弧部の近傍にて結合するブリッジ部１５から構成されて、ブリッジ部を基点に開閉可能なクリップ機構を形成し、前記保護カバーは、その基部がクリップ部のブリッジ部及び円弧部の先端部分と連結すると共に、カバー曲面２４の下側面が開放されてスリットを形成してなる。【選択図】図１
0003214668.tif 000002
【実用新案登録請求の範囲】
【請求項１】
指を両側面より挟むことのできるクリップ部と、該クリップ部から指先方向に延伸するほぼ円筒状の保護カバーからなるマニキュア保護用具であって、
前記クリップ部は、指の側面に沿う円弧部及びこれより伸びたハンドル部からなる一対のクリップ部材、並びに前記ハンドル部を円弧部の近傍にて結合するブリッジ部から構成されて、ブリッジ部を基点に開閉可能なクリップ機構を形成し、
前記保護カバーは、その基部がクリップ部のブリッジ部及び円弧部の先端部分と連結すると共に、カバー曲面の下側面が開放されてスリットを形成してなるマニキュア保護用具。
【請求項２】
円弧部においてブリッジ部に近接する部分から指の固定を補助する突出したストッパーを設けてなる請求項１のマニキュア保護用具。
【考案の詳細な説明】
【技術分野】
【０００１】
本考案はマニキュア保護用具に関し、爪に塗布したマニキュアが乾燥するまでの間、塗膜を保護する保護用具に関する。
【背景技術】
【０００２】
マニキュアは爪を塗装する化粧の一種であり、爪の保護として用いられる場合もある。近年、さまざまなマニキュアが市販されており、ネイルアートとして主に女性に使用されている。マニキュアを爪に塗布して未乾燥の間に塗膜表面に物が触れると仕上り不良となるため、その間は手や指を動かさずにじっとして待機する必要がある。このような不便に対処するため、たとえば実登３０５７３６２号、特開２００１−１７２３０号、特開２００２−３２５６２３号の各公報などに開示の保護具が提案されている。
【０００３】
しかしながら、このような保護具では保護具先端のカバー部分の構造や、指先との相対位置などから未乾燥マニキュアの充分な保護が果たせない場合があるほか、指先を広く覆うため、塗膜の乾燥中は読書などの指先の腹を用いる動作も行えないなど多々不便を生じる。また、従来の保護具は構造が複雑で製造コストも充分に抑制することができない。
【先行技術文献】
【特許文献】
【０００４】
【特許文献１】実登３０５７３６２号公報
【特許文献２】特開２００１−１７２３０号公報
【特許文献３】特開２００２−３２５６２３号公報
【考案の開示】
【考案が解決しようとする課題】
【０００５】
本考案の目的は、マニキュア液を塗布した後の未乾燥塗膜の保護が完全であり、乾燥の間も読書などの作業に支障がなく、かつ製造面からも成型が容易でコストの削減もできるマニキュア保護用具を提供することにある。
【課題を解決するための手段】
【０００６】
本願の考案は、指を両側面より挟むことのできるクリップ部10と、該クリップ部から指先方向に延伸するほぼ円筒状の保護カバー20からなるマニキュア保護用具１であって、
前記クリップ部10は、指の側面に沿う円弧部(12a,12b)及びこれより伸びたハンドル部(13a,13b)からなる一対のクリップ部材、並びに前記ハンドル部を円弧部の近傍にて結合するブリッジ部15から構成されて、ブリッジ部を基点に開閉可能なクリップ機構を形成し、
前記保護カバー20は、その基部がクリップ部10のブリッジ部15及び円弧部(12a,12b)の先端部分と連結すると共に、カバー曲面24の下側面が開放されてスリット22を形成してなるマニキュア保護用具を提供する。
【０００７】
本考案の前記マニキュア保護用具は、円弧部12においてブリッジ部15に近接する部分から指の固定を補助する突出部であるストッパー16を設けるのがよい。
【考案の効果】
【０００８】
本考案のマニキュア保護用具はマニキュア液を塗布した後の乾燥中の塗布面を確実に保護しつつ、その間も読書などの作業に支障がない。この保護用具は構造が簡素であり、一体成型が容易となりコストが低減される。
【図面の簡単な説明】
【０００９】
【図１】本考案マニキュア保護用具の一具体例を示す斜視図である。
【図２】図１の保護用具の対称面における断面図である。
【図３】図１の保護用具の先端方向からの立面図である。
【図４】図１の保護用具を用い爪の塗装面を保護した使用状態の説明図である。
【考案を実施するための最良の形態】
【００１０】
つぎに図面を参照しつつ、具体例を用いて本考案を更に詳しく説明する。
図１〜図３は本考案のマニキュア保護用具の一具体例である。この具体例のマニキュア保護用具１は、指を両側面より挟むクリップ部10と、該クリップ部から指先方向に延伸するほぼ円筒状の保護カバー20からなる。
【００１１】
前記クリップ部10は指の側面に沿う円弧部(12a,12b)及びこれより伸びたハンドル部(13a,13b)からなる一対のクリップ部材、並びに、前記のハンドル部同士を円弧部の近くにて結合するブリッジ部15から構成されている。これによりクリップ部10はブリッジ部15を基点に開閉が可能なクリップ機構を構成し、指を挟むことができる。
かかる部材は一対のハンドル部(13a,13b)の間隔を指で押し縮めることにより、ブリッジ部15を基点にして、対向する円弧部(12a,12b)を広げることができる洗濯バサミ様のクリップ構造をなしており、該円弧部にてマニキュア塗布後の指先を挟み未乾燥塗布面を保護することができる。
【００１２】
前記の保護カバー20は全体的にほぼ円筒状のカバー曲面24からなり、その下側面は円筒の軸方向に開放されてスリット22を形成する。この保護カバー20は、その基部であるクリップ部に近い部分において部分的にクリップ部10と接合する。すなわち、カバー曲面24は上部においては、ブリッジ部15と接合し、一方、下部は円弧部(12a,12b)の各先端部分と接合する。このようにして、カバー曲面24の下方の縁部は保護カバーの円筒軸に平行に開口したスリット22を形成して円弧部(12a,12b)の先端と連なりスリット状の開口部を形成する。一方、保護カバー20の上部先端25に向けては、緩やかな曲線を描いて延伸し保護カバーの先端の下方を開放し、保護する指先の腹にあたる部分の使用を可能にする。このような形状を備えることにより指にマニキュアを塗膜後、保護用具を取り付けて乾燥を待つ間も指の腹を使用する読書などの作業に支障がなくマニキュア乾燥の煩わしさが軽減される。
【００１３】
本考案のマニキュア保護用具は、クリップ部10においてブリッジ部15に近い円弧部12からカバー曲面20とほぼ平行に突出したストッパー16を設けるのが好ましい(図２参照)。このストッパーにより指先が反り返えったときも、マニキュア塗布面がカバー曲面の内面に接触することがないよう指の相対的な位置を固定する。
【００１４】
本考案のマニキュア保護用具は、適正な弾力性を有するプラスチック材料を用い、設計変更により広い範囲の指寸法に対応することができるが、好ましくは親指から小指に合わせた大きさの異なる用具を組み合わせるのがよい。本考案のマニキュア保護用具は適宜のプラスチック材料による一体成型を行うことができる。
【００１５】
(マニキュア保護用具の使用法)
図４はマニキュアを爪に塗布後、塗膜の乾燥を行っている状態を示す説明図である。
指先への保護用具の取り付けは、ハンドル部(13a,13b)を中央方向に押すことにより円弧部(12a,12b)を拡幅し、マニキュアを塗布した指を挟む。この保護用具はカバー曲面24が広く下方までを覆っており、指先が保護カバーを離れて他の物体に当たり未乾燥のマニキュア塗膜が傷つくのを防止する。また、ブリッジ部15に近い円弧部12から突出したストッパー16により指の反り返りによりマニキュア塗布面が内面に接触しないよう指の位置をできる。
【産業上の利用可能性】
【００１６】
本考案のマニキュア保護用具は未乾燥のマニキュア塗布面を確実に保護できると共に、構造が簡素であり一体成型が容易でコストの低減をはかることができる。
【符号の説明】
【００１７】
１         マニキュア保護用具          10        クリップ部
12a,12b      円弧部                     13a,13b    ハンドル部
15         ブリッジ部                 16a,16b    ストッパー
20         保護カバー                   22       スリット
24         カバー曲面                   25       上部先端
【図１】
0003214668.tif 000003
【図２】
0003214668.tif 000004
【図３】
0003214668.tif 000005
【図４】
0003214668.tif 000006